(57)【特許請求の範囲】
【請求項１】
柄部、及び櫛部を有し、薬剤を毛髪に塗布するための毛髪用塗布具において、
前記櫛部は、基台面と該基台面上に立設される櫛歯体から構成され、
前記櫛歯体は、３本の櫛歯が一組となって略直線状に整列してなり、
前記櫛歯体は、前記基台面上において、ブラッシング方向に対する垂直方向おいて櫛歯体中央部の櫛歯の中心軸線間において６〜８ｍｍの間隔で、且つ３本の櫛歯の中心軸を通る仮想線がブラッシング方向に対し３５〜５５°の角度で傾斜した状態で基台面の長手方向において複数配置され、
前記複数配置された櫛歯体の一組が、一列形成され、
前記櫛部を構成する前記櫛歯は、各櫛歯の中心軸線間がブラッシング方向に対する垂直方向において１．５〜３ｍｍの間隔となるよう整列していることを特徴とする毛髪用塗布具。
【請求項２】
柄部、及び櫛部を有し、薬剤を毛髪に塗布するための毛髪用塗布具において、
前記櫛部は、基台面と該基台面上に立設される櫛歯体から構成され、
前記櫛歯体は、第１〜第４櫛歯からなる４本の櫛歯が一組となって順に略直線状に整列してなり、
前記櫛歯体は、前記基台面上において、ブラッシング方向に対する垂直方向おいて櫛歯体の中央の櫛歯の中心軸線間において６〜８ｍｍの間隔で、且つ４本の櫛歯の中心軸を通る仮想線がブラッシング方向に対し３５〜５５°の角度で傾斜した状態で基台面の長手方向において複数配置され、
前記複数配置された櫛歯体の一組が、一列形成され、
前記櫛歯体を構成する前記櫛歯は、第１〜第４櫛歯の中心軸線間がブラッシング方向に対する垂直方向において１．５〜３ｍｍの間隔で整列し、
前記櫛部を構成する前記櫛歯は、第１〜第３櫛歯について、各櫛歯の中心軸線間がブラッシング方向に対する垂直方向において１．５〜３ｍｍの間隔となるよう整列していることを特徴とする毛髪用塗布具。
【請求項３】
前記櫛歯体は、前記櫛歯体の両端に配置される櫛歯の直径より前記櫛歯体の中央部に配置される櫛歯の直径の方が小さいことを特徴とする請求項１に記載の毛髪用塗布具。
【請求項４】
前記櫛歯体は、隣り合う２列の櫛歯体を第１の櫛歯体と第２の櫛歯体とした場合、第１の櫛歯体の第４櫛歯と、第２の櫛歯体の第１櫛歯を直線で結んだ際、ブラッシング方向において略平行に配されていることを特徴とする請求項２に記載の毛髪用塗布具。
【発明の詳細な説明】
【技術分野】
【０００１】
本発明は、薬剤を毛髪に塗布するための毛髪用塗布具に関し、詳しくは薬剤の塗布性の向上を図った毛髪用塗布具に関する。
【背景技術】
【０００２】
一般に、ファッションの１つとして、例えば染毛剤により毛髪の色を変えたり、脱色剤や脱染剤により毛髪の色を落としたり、パーマ処理剤により毛髪にウェーブをかける等、各種毛髪処理剤（薬剤）により毛髪に変化を施すことが広く定着している。かかる薬剤を毛髪に塗布するための道具として毛髪用塗布具が知られている。かかる毛髪用塗布具は、薬剤を保持しながら毛髪に薬剤を絡ませるために、通常ブラッシング方向に複数列の櫛歯を有している。従来より、前記薬剤の毛髪用塗布具として、特許文献１，２に記載される毛髪用塗布具が知られている。特許文献１は、ブラッシング方向に３列又は４列の櫛歯を配列させた毛髪用塗布具について開示する。各列の櫛歯は、ブラッシング方向に対する垂直方向に交互に位置をずらして配置される。特許文献２は、ブラッシング方向に３列の櫛歯を起立させた毛髪用塗布具について開示する。各列の櫛歯は、ブラッシング方向に対する垂直方向に交互に位置をずらして配置される。
【特許文献１】特開平７−２９８９２０号公報（図１７，１９）
【特許文献２】特開２００７−３２０６２２号公報（図４）
【発明の開示】
【発明が解決しようとする課題】
【０００３】
ところが、特許文献１，２に開示される毛髪用塗布具は、櫛歯間が短く、密に配設されているために、ブラッシング作業によって毛髪に付着した薬剤を必要以上に掻き取る場合があり、薬剤の毛髪に対するなじみが悪いという問題があった。そのため、毛髪に均一に薬剤を塗布するためにブラッシング作業を多く行う必要があり、施術者の負担が大きかった。その一方、櫛歯間を単に離間させて毛髪用塗布具を構成すると薬剤が櫛歯に絡みにくくなり、十分に毛髪に薬剤をなじませることが困難になるという問題が生じた。
【０００４】
本発明は、このような従来技術に存在する問題点に着目してなされたものである。その目的とするところは、少ないブラッシング操作で薬剤を均一に毛髪になじませることができる毛髪用塗布具を提供することにある。
【課題を解決するための手段】
【０００５】
上記の目的を達成するために、請求項１に記載の毛髪用塗布具は、柄部、及び櫛部を有し、薬剤を毛髪に塗布するための毛髪用塗布具において、前記櫛部は、基台面と該基台面上に立設される櫛歯体から構成され、前記櫛歯体は、３本の櫛歯が一組となって略直線状に整列してなり、前記櫛歯体は、前記基台面上において、ブラッシング方向に対する垂直方向おいて櫛歯体中央部の櫛歯の中心軸線間において６〜８ｍｍの間隔で、且つ３本の櫛歯の中心軸を通る仮想線がブラッシング方向に対し３５〜５５°の角度で傾斜した状態で基台面の長手方向において複数配置され、前記複数配置された櫛歯体の一組が、一列形成され、前記櫛部を構成する前記櫛歯は、各櫛歯の中心軸線間がブラッシング方向に対する垂直方向において１．５〜３ｍｍの間隔となるよう整列していることを特徴とする。
【０００６】
請求項２に記載の毛髪用塗布具は、柄部、及び櫛部を有し、薬剤を毛髪に塗布するための毛髪用塗布具において、前記櫛部は、基台面と該基台面上に立設される櫛歯体から構成され、前記櫛歯体は、第１〜第４櫛歯からなる４本の櫛歯が一組となって順に略直線状に整列してなり、前記櫛歯体は、前記基台面上において、ブラッシング方向に対する垂直方向おいて櫛歯体の中央の櫛歯の中心軸線間において６〜８ｍｍの間隔で、且つ４本の櫛歯の中心軸を通る仮想線がブラッシング方向に対し３５〜５５°の角度で傾斜した状態で基台面の長手方向において複数配置され、前記複数配置された櫛歯体の一組が、一列形成され、前記櫛歯体を構成する前記櫛歯は、第１〜第４櫛歯の中心軸線間がブラッシング方向に対する垂直方向において１．５〜３ｍｍの間隔で整列し、前記櫛部を構成する前記櫛歯は、第１〜第３櫛歯について、各櫛歯の中心軸線間がブラッシング方向に対する垂直方向において１．５〜３ｍｍの間隔となるよう整列していることを特徴とする。
請求項３に記載の発明は、請求項１に記載の毛髪用塗布具において、前記櫛歯体は、前記櫛歯体の両端に配置される櫛歯の直径より前記櫛歯体の中央部に配置される櫛歯の直径の方が小さいことを特徴とする。
【０００７】
請求項４に記載の発明は、請求項２に記載の毛髪用塗布具において、前記櫛歯体は、隣り合う２列の櫛歯体を第１の櫛歯体と第２の櫛歯体とした場合、第１の櫛歯体の第４櫛歯と、第２の櫛歯体の第１櫛歯を直線で結んだ際、ブラッシング方向において略平行に配されていることを特徴とする。
【発明の効果】
【０００８】
本発明によれば、少ないブラッシング操作で薬剤を均一に毛髪になじませることができる毛髪用塗布具を提供することができる。
【発明を実施するための最良の形態】
【０００９】
以下に、本発明の毛髪用塗布具を具体化した一実施形態を図１〜４に基づいて詳細に説明する。
図１，２に示されるように本実施形態の毛髪用塗布具１１は、長四角板状をなす柄部１２と、該柄部１２の上部一側に一体に形成した塗布部としての櫛部１３と、該櫛部１３の反対側において一体的に又は植毛により形成した刷毛部１４とにより構成されている。毛髪用塗布具１１は櫛部１３によって薬剤を毛髪に塗布するとともに、薬剤を毛髪になじませることができる。また、主として刷毛部１４によって毛髪の根元付近に薬剤をなじませることができる。なお、本実施形態の毛髪用塗布具１１を形成する材料は、特に限定されないが、好ましくは、可撓性を有する合成樹脂より形成される。例えば、ＰＰ（ポリプロピレン）、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロニトリル−スチレン共重合体とアクリロニトリル−スチレン共重合体を混合したもの）、ＡＳ（アクリロニトリル−スチレン共重合体）、ＰＳ（ポリスチレン）、ＰＣ（ポリカーボネート）等の合成樹脂材料、及びそれらを混合したものにより形成することができる。これらの中でも引っ張り強さや伸び率が高いことからＰＰ、ＬＬＤＰＥ、ＬＤＰＥ、ＭＤＰＥ及びＨＤＰＥが好ましい。また、単層でも二種以上の樹脂層を積層したものでもよく、あるいは二種以上の樹脂材料を混合又は重合したものでもよい。その他、櫛部１３はゴム等の弾性体により形成されていてもよい。弾性体で形成することにより、頭の形に容易にフィットし、頭髪内部に薬剤を確実に押し込むことができる。また、頭皮の刺激低減効果も高くなる。
【００１０】
図３に示されるように、櫛部１３は、略長方形状の基台面１３ａと該基台面１３ａ上に立設される複数の櫛歯体１３ｂから構成される。櫛歯体１３ｂの基台面１３ａ上における数は２以上であれば特に限定されず、操作性、製造コスト等により適宜設定される。櫛歯体１３ｂは、３本の櫛歯１３ｃが一組となって構成され、該３本の櫛歯１３ｃが略直線状に整列している。該３本の櫛歯１３ｃの中心軸を通る仮想線Ｘ１は、櫛部１３のブラッシング方向Ｙに対し、３５〜５５°になるよう傾斜している。つまり、仮想線Ｘ１とブラッシング方向Ｙの間に形成される角度（θ１）は、３５〜５５°の範囲に規定される。角度（θ１）が、この範囲に規定されることによって薬剤を均一に毛髪になじませることができる。基台面１３ａ上に立設される複数の櫛歯体１３ｂの角度（θ１）は、同一であっても異なっていてもよい。薬剤をより均一に毛髪になじませるため、好ましくは、角度（θ１）は、同一に規定される。
【００１１】
櫛歯１３ｃの直径は特に限定されず、目的に応じ適宜設定されるが、好ましくは０．５〜３ｍｍ、より好ましくは１〜２．５ｍｍに規定される。櫛歯体１３ｂを構成する３本の櫛歯１３ｃの直径は、同一であっても異なっていてもよい。好ましくは、櫛歯体１３ｂの両端に配される櫛歯１３ｄの直径より中央部に配される櫛歯１３ｅの直径の方が小さく構成される（図３，４）。より具体的には、櫛歯体１３ｂの両端に配される櫛歯１３ｄの直径は、好ましくは１．５〜３ｍｍに規定され、櫛歯体１３ｂの中央部に配される櫛歯１３ｅの直径は、好ましくは０．５ｍｍ以上１．５ｍｍ未満に規定される。櫛歯１３ｄの直径より櫛歯１３ｅの直径の方が小さい場合、薬剤をより均一に毛髪になじませることができるとともに、毛髪用塗布具１１の操作性をより向上させることができる。より好ましくは、櫛歯１３ｃが可撓性を有する合成樹脂により構成される。かかる場合、薬剤１５が付着された毛髪１６におけるブラッシング方向Ｙへの塗布作業（図４（ａ））の途中で櫛部１３をブラッシング方向Ｙに対し垂直方向Ｚに移動させると、直径の小さい櫛歯１３ｅは櫛歯１３ｄよりもブラッシング方向Ｙに対し垂直方向Ｚに撓むため、櫛歯１３ｅと櫛歯１３ｄの間に毛髪を挟み込むことができる（図４（ｂ））。それにより、薬剤１５を毛髪によりなじませることができる。また、櫛歯１３ｃ間の嵌挿される毛髪の厚みが大きい場合にも、上記と同様の効果が期待される。
【００１２】
櫛歯１３ｃは、ブラッシング方向Ｙに対する垂直方向において櫛歯１３ｃの中心軸線間の距離が１．５〜３ｍｍの範囲に規定される。つまり、ブラッシング方向Ｙに対する垂直方向において隣り合う櫛歯１３ｃ間の距離（Ｌ１，Ｌ２，Ｌ３）は、それぞれ１．５〜３ｍｍの範囲に規定される（図３）。櫛歯１３ｃ間の距離（Ｌ１，Ｌ２，Ｌ３）は、同一であっても異なっていてもよい。薬剤をより均一に毛髪になじませるため、好ましくは、櫛歯１３ｃ間の距離（Ｌ１，Ｌ２，Ｌ３）は、同一に規定される。櫛歯１３ｃ間の距離（Ｌ１，Ｌ２，Ｌ３）が、１．５〜３ｍｍの範囲に規定されることによって、薬剤を均一に毛髪になじませることができる。
【００１３】
櫛歯体１３ｂは、ブラッシング方向Ｙに対する垂直方向おいて６〜８ｍｍの間隔で配列される。隣り合う櫛歯体１３ｂの角度（θ１）が異なる場合、櫛歯体１３ｂ間の距離は、櫛歯体１３ｂの中央部に配される櫛歯１３ｅの中心軸線間の距離（Ｌ４）によって求められる（図３）。隣り合う櫛歯体１３ｂ間の距離（Ｌ４）が６ｍｍ未満であると、毛髪が櫛歯に引っ掛かりやすくなり操作性が低下するとともに、薬剤を少ないブラッシング操作で毛髪に均一になじませることができない。一方、隣り合う櫛歯体１３ｂ間の距離（Ｌ４）が８ｍｍを超えると、薬剤を少ないブラッシング操作で毛髪に均一になじませることができない。
【００１４】
以上詳述した本実施形態の毛髪用塗布具１１によれば、以下のような効果が発揮される。
（１）本実施形態の毛髪用塗布具１１の櫛部１３は、３本の櫛歯１３ｃが一組となって略直線状に整列した櫛歯体１３ｂが、ブラッシング方向Ｙに対し３５〜５５°の角度で傾斜した状態で６〜８ｍｍの間隔で配列され、櫛歯１３ｃは、ブラッシング方向Ｙに対する垂直方向において１．５〜３ｍｍの間隔で整列するように構成されている。したがって、ブラッシング作業の操作性を低下させることなく薬剤を引き伸ばすことができる。
【００１５】
（２）本実施形態では、ブラッシング作業の操作性を低下させることなく薬剤を引き伸ばすことができる。したがって、薬剤を毛髪に均一になじませることができる。
（３）本実施形態では、薬剤を毛髪に均一になじませることができる。したがって、少ないブラッシング作業により薬剤を毛髪に塗布することができ、施術者の負担を低減させることができる。
【００１６】
（４）本実施形態の毛髪用塗布具１１は、好ましくは、櫛歯体１３ｂの両端に配される櫛歯１３ｄの直径より中央部に配される櫛歯１３ｅの直径の方が小さく構成される。したがって、薬剤をより均一に毛髪になじませることができるとともに、毛髪用塗布具１１の操作性を向上させることができる。
【００１７】
（５）本実施形態では、薬剤を塗布するための櫛部１３と主として薬剤を毛髪根元付近に押し込む刷毛部１４を１つの柄部１２に取り付けた。したがって、薬剤塗布作業において、複数の櫛を持ち変える必要がなく、周囲への汚染を防止することができるとともに、塗布作業が容易になる。
【００１８】
（６）本実施形態では、薬剤を毛髪に均一になじませることができる。したがって、塗布される薬剤として、例えば染毛剤、脱色剤、脱染剤、及びパーマ剤が用いられる場合、それぞれ染色性の向上効果、脱色性の向上効果、脱染性の向上効果、及びパーマの均一性の向上効果が得られる。
【００１９】
なお、上記実施形態は以下のように変更して構成することもできる。
・上記実施形態において、櫛歯体は略直線状に整列される４本の櫛歯から構成されてもよい。櫛歯体が４本の櫛歯から構成される場合、毛髪用塗布具１１を構成する櫛歯は、櫛歯体を構成する少なくとも３本の櫛歯について、該櫛歯がブラッシング方向Ｙに対する垂直方向において１．５〜３ｍｍの間隔で整列していればよい。かかる構成においても、薬剤を毛髪に均一になじませることができる。
【００２０】
・図５に示されるように、４本の櫛歯１３ｃから構成される櫛歯体１３ｆが用いられる場合、好ましくは櫛歯体１３ｆの両端に位置する櫛歯１３ｇ、１３ｈがそれぞれ隣り合う櫛歯体１３ｆの他端側に位置する櫛歯１３ｉ、１３ｊとブラッシング方向において略平行に配される。つまり、櫛歯体１３ｆの一端側に位置する櫛歯１３ｇと、隣接する櫛歯体１３ｆの他端側に位置する櫛歯１３ｉとを結ぶ仮想線Ｘ２は、ブラッシング方向Ｙと略平行である。また、櫛歯体１３ｆの一端側に位置する櫛歯１３ｈと、隣接する櫛歯体１３ｆの他端側に位置する櫛歯１３ｊとを結ぶ仮想線Ｘ３は、ブラッシング方向Ｙと略平行である。かかる構成においても、薬剤を毛髪に均一になじませることができる。
【００２１】
・本実施形態の毛髪用塗布具は、刷毛部が形成されず、櫛部のみから構成されてもよい。尚、薬剤として所定の粘度を有する染毛・脱色剤を塗布する場合は、操作性の観点から毛髪用塗布具は、櫛部及び刷毛部の両方を有する方が好ましい。
【００２２】
・本実施形態の毛髪用塗布具において、櫛歯１３ｃの基台面１３ａからの高さは、特に限定されず、各種用途、操作性等を考慮して適宜設定される。
・本実施形態の毛髪用塗布具１１を用いて塗布される薬剤の粘度は特に限定されず、例えばクリーム状、ゲル状、ペースト状、及び液状が挙げられる。また、薬剤の種類は、特に限定されず、例えば染毛剤、脱色剤、脱染剤、パーマ剤、シャンプー、トリートメント、リンス、ヘアケア剤、育毛剤等の毛髪化粧料が挙げられる。
【００２３】
・本実施形態の毛髪用塗布具において、櫛歯１３ｃの直径は、櫛歯１３ｃの根元から先端まで同一に構成されてもよく、櫛歯１３ｃの根元から先端に向かうに連れて小さくなるテーパ状に構成されてもよい。
【００２４】
次に、上記実施形態及び別例から把握できる技術的思想について、それらの効果とともに以下に追記する。
（ａ）可撓性を有する合成樹脂より形成される前記毛髪用塗布具。かかる構成により、頭皮上にかかる圧力が減少し、頭皮刺激が低減される。
【００２５】
（ｂ）さらに、刷毛部を有している前記毛髪用塗布具。薬剤塗布作業において、複数の櫛を持ち変える必要がなく、周囲への汚染を防止することができるとともに、塗布作業が容易になる。
【実施例】
【００２６】
次に、前記実施形態を更に具体的に説明する。
下記に示される各実施例及び比較例の櫛歯を有する毛髪用塗布具を作製した。まず、黒髪のモデルの頭髪に脱色剤（ビューティーンブリーチプラチナブロンド：ホーユー社製）１．５ｇを頭髪の根元から１０ｍｍの長さ、５０ｍｍの幅で塗布し、各例の毛髪用塗布具を用い、頭髪の上から下方向へ５回ブラッシング操作を行った。次に、再度、同一箇所に前記脱色剤１．５ｇを頭髪の根元から１０ｍｍの長さ、５０ｍｍの幅で塗布し、各例の毛髪用塗布具を用い、頭髪の上から下方向へ５回ブラッシング操作を行い、室温で３０分間放置した。次に、頭髪に付着した脱色剤を水で洗い流した後、シャンプーを２回、リンスを１回施した。続いて、頭髪を温風で乾燥し、これらの脱色処理が施された頭髪について脱色剤の毛髪へのなじみ及び均一性について評価した。また、脱色剤を毛髪に塗布する際の操作性について評価した。結果を表１に示す。
【００２７】
（実施例１）
図３に示される櫛歯体１３ｂが３本の櫛歯１３ｃからなる毛髪用塗布具において、該３本の櫛歯１３ｃは全て同一直径（根元付近において２ｍｍ）で構成した。また、角度（θ１）を４５°、ブラッシング方向Ｙに対する垂直方向における櫛歯１３ｃ間の距離（Ｌ１〜Ｌ３）は全て２．３３ｍｍ、ブラッシング方向Ｙに対する垂直方向における櫛歯体１３ｂ間の距離（Ｌ４）は全て７ｍｍに規定した。
【００２８】
（実施例２）
実施例１の構成において、櫛歯体１３ｂを構成する３本の櫛歯１３ｃのうち両端の櫛歯１３ｄの直径が２ｍｍ（根元付近）に規定され、中央部に位置する櫛歯１３ｅの直径が１．２ｍｍ（根元付近）に規定される。その他の構成は実施例１と同一である。
【００２９】
（実施例３）
図５に示される櫛歯体１３ｆが４本の櫛歯１３ｃからなる毛髪用塗布具において、該４本の櫛歯１３ｃは全て同一直径（根元付近において２ｍｍ）で構成した。また、櫛歯体１３ｆを構成する４本の櫛歯１３ｃの軸線を通る仮想線Ｘ４とブラッシング方向Ｙとの間の角度（θ２）を４５°に規定した。ブラッシング方向Ｙに対する垂直方向における櫛歯１３ｃ間の各距離（Ｌ５〜Ｌ８）をそれぞれ２．３３ｍｍに規定した。ブラッシング方向Ｙに対する垂直方向における櫛歯体１３ｆ間の距離（Ｌ９）をそれぞれ７ｍｍに規定した。
【００３０】
（比較例１）
実施例１の構成において、ブラッシング方向Ｙに対する垂直方向における櫛歯体１３ｂ間の距離（Ｌ４）を５ｍｍに規定した。その他の構成は実施例１と同一である。
【００３１】
（比較例２）
実施例１の構成において、ブラッシング方向Ｙに対する垂直方向における櫛歯体１３ｂ間の距離（Ｌ４）を９ｍｍに規定した。その他の構成は実施例１と同一である。
【００３２】
（比較例３）
実施例１の構成において、角度（θ１）を６０°に規定した。その他の構成は実施例１と同一である。
【００３３】
（比較例４）
実施例１の構成において、角度（θ１）を３０°に規定した。その他の構成は実施例１と同一である。
【００３４】
（比較例５）
図６に示される構成を有する毛髪用塗布具を使用した。櫛歯１３ｃを波状に整列させた。具体的には、３本の櫛歯１３ｃが整列した複数の櫛歯体１３ｋから構成され、さらに櫛歯体１３ｋ間の中央部に一本の櫛歯１３ｍを配置した。櫛歯体１３ｋを構成する３本の櫛歯１３ｃの軸線を結ぶ仮想線Ｘ５とブラッシング方向Ｙとの間に形成される角度（θ３）は４５°である。櫛歯体１３ｋを構成する３本の櫛歯１３ｃについて、ブラッシング方向Ｙに対する垂直方向における櫛歯１３ｃ間の距離（Ｌ１０，Ｌ１１）はそれぞれ２．３ｍｍに規定した。ブラッシング方向Ｙに対する垂直方向における櫛歯体１３ｋ間の距離（Ｌ１２）を９．２ｍｍに規定した。尚、櫛歯１３ｍのブラッシング方向Ｙに対する垂直方向において隣り合う櫛歯１３ｃとの距離も２．３ｍｍに規定した。
【００３５】
（比較例６）
図７に示される構成を有する毛髪用塗布具を使用した。図７に示される毛髪用塗布具はブラッシング方向Ｙに対する垂直方向に整列させた一列の櫛歯１３ｃのみから構成される。各櫛歯１３ｃ間の距離（Ｌ１３）は全て３．５ｍｍとした。
【００３６】
（比較例７）
図８に示される構成を有する毛髪用塗布具を使用した。２本の櫛歯１３ｃが整列した櫛歯体１３ｎから構成される。２本の櫛歯１３ｃの軸線を結ぶ仮想線Ｘ６とブラッシング方向Ｙとの間に形成される角度（θ４）は４５°である。ブラッシング方向Ｙに対する垂直方向における櫛歯１３ｃ間の距離（Ｌ１４，Ｌ１５）はそれぞれ３．５ｍｍに規定した。ブラッシング方向Ｙに対する垂直方向における櫛歯体１３ｎ間の距離（Ｌ１６）を７ｍｍに規定した。
【００３７】
（比較例８）
実施例３の構成において、ブラッシング方向Ｙに対する垂直方向における櫛歯体１３ｆ間の距離（Ｌ９）を９．２ｍｍに規定した。その他の構成は実施例３と同一である。
【００３８】
（比較例９）
図９に示される構成を有する毛髪用塗布具を使用した。５本の櫛歯１３ｃが整列した櫛歯体１３ｐから構成される。５本の櫛歯１３ｃの軸線を結ぶ仮想線Ｘ７とブラッシング方向Ｙとの間に形成される角度（θ５）は４５°である。ブラッシング方向Ｙに対する垂直方向における櫛歯１３ｃ間の距離（Ｌ１７〜Ｌ２０）はそれぞれ２．３３ｍｍに規定した。ブラッシング方向Ｙに対する垂直方向における櫛歯体１３ｐ間の距離（Ｌ２１）を７ｍｍに規定した。
【００３９】
（比較例１０）
図１０に示される構成を有する毛髪用塗布具を使用した。６本の櫛歯１３ｃが整列した櫛歯体１３ｑから構成される。６本の櫛歯１３ｃの軸線を結ぶ仮想線Ｘ８とブラッシング方向Ｙとの間に形成される角度（θ６）は４５°である。ブラッシング方向Ｙに対する垂直方向における櫛歯１３ｃ間の距離（Ｌ２２〜Ｌ２５）はそれぞれ２．３３ｍｍに規定した。ブラッシング方向Ｙに対する垂直方向における櫛歯体１３ｑ間の距離（Ｌ２６）を７ｍｍに規定した。
【００４０】
（脱色剤の毛髪へのなじみ）
脱色剤を塗布した毛髪の根元からブリーチされた部分までの長さを目視で確認し、その長さを測定した。結果を表１に示す。
【００４１】
（脱色剤の毛髪への均一性）
パネラーが脱色後の各毛髪について、目視にて確認し、次の５段階の評価を行った。脱色された部分が非常にムラなく伸びている場合を「５」、脱色された部分がよりムラが少なく伸びている場合を「４」、脱色された部分がムラが少なく伸びている場合を「３」、脱色された部分にムラがある場合を「２」、脱色された部分にムラが非常にある場合を「１」とした。結果を表１に示す。
【００４２】
（塗布時における操作性）
パネラーが各実施例及び比較例の毛髪用塗布具を用いて、脱色剤を頭髪に塗布している時の梳かしやすさを次の５段階の評価を行った。毛髪に櫛歯が引っ掛からず、非常に梳かしやすい場合を「５」、毛髪に櫛歯が引っ掛からず、梳かしやすい場合を「４」、毛髪に多少櫛歯が引っ掛かるが、比較的梳かしやすい場合を「３」、毛髪に櫛歯が引っ掛かり、梳かしにくい場合を「２」、毛髪に櫛歯が引っ掛かり、非常に梳かしにくい場合を「１」とした。結果を表１に示す。
【００４３】
【表１】
0005363760.tif 000002
【００４４】
表１に示されるように、各実施例の毛髪用塗布具は、少ないブラッシング操作で均一に脱色剤を毛髪になじませることができることが確認された。櫛歯体の中央部に配される櫛歯の直径が小さく構成される実施例２は、操作性を低下させることなく、薬剤の均一性をより向上させることができることが確認された。
【００４５】
櫛歯体間の距離が５ｍｍである比較例１は、なじみ及び操作性の評価が劣ることが確認された。櫛歯体間の距離が９ｍｍである比較例２は、均一性及びなじみの評価が劣ることが確認された。櫛歯体の角度θ１が６０°の比較例３は、均一性及びなじみの評価が劣ることが確認された。櫛歯体の角度θ１が３０°の比較例４は、均一性及びなじみの評価が劣ることが確認された。櫛歯を波状に整列させた比較例５は、均一性及びなじみの評価が劣ることが確認された。
【００４６】
櫛歯が一列のみから構成される比較例６は、操作性は優れるが、均一性及びなじみの評価が劣ることが確認された。櫛歯体が２本の櫛歯から構成される比較例７は、なじみの評価が劣ることが確認された。櫛歯体が４本の櫛歯から構成され、櫛歯体間の距離が９．２ｍｍである比較例８は、均一性及びなじみの評価が劣ることが確認された。櫛歯体を構成する櫛歯の数が５本以上の比較例９，１０は、なじみは優れるが均一性及び操作性が非常に劣ることが確認された。
【図面の簡単な説明】
【００４７】
【図１】本実施形態における毛髪用塗布具を示す正面図。
【図２】本実施形態における毛髪用塗布具を示す櫛部側の側面図。
【図３】櫛部における要部拡大図（ブラッシング方向Ｙが上下方向に記載される）。
【図４】使用時の櫛部における要部拡大図。（ａ）毛髪用塗布具をブラッシング方向Ｙに移動させた場合の櫛部における要部拡大図。（ｂ）毛髪用塗布具をブラッシング方向Ｙとは垂直方向にＺに移動させた場合の櫛部における要部拡大図。
【図５】この発明の別の実施形態の毛髪用塗布具について、櫛部における要部拡大図。
【図６】比較例５における櫛部における要部拡大図。
【図７】比較例６における櫛部における要部拡大図。
【図８】比較例７における櫛部における要部拡大図。
【図９】比較例９における櫛部における要部拡大図。
【図１０】比較例１０における櫛部における要部拡大図。
【符号の説明】
【００４８】
１１…毛髪用塗布具、１２…柄部、１３…櫛部、１３ｂ…櫛歯体、１３ｃ…櫛歯、１３ｄ…櫛歯体の両端に配される櫛歯、１３ｅ…櫛歯体の中央部に配される櫛歯、１４…刷毛部、１５…薬剤、１６…毛髪、Ｘ１…櫛歯体を構成する櫛歯の中心軸線が通る仮想線、Ｙ…ブラッシング方向、Ｚ…ブラッシング方向に対する垂直方向。Ｌ１〜Ｌ３…ブラッシング方向に対する垂直方向における櫛歯間の距離。Ｌ４…ブラッシング方向に対する垂直方向における櫛歯体間の距離。
【図１】
0005363760.tif 000003
【図２】
0005363760.tif 000004
【図３】
0005363760.tif 000005
【図４】
0005363760.tif 000006
【図５】
0005363760.tif 000007
【図６】
0005363760.tif 000008
【図７】
0005363760.tif 000009
【図８】
0005363760.tif 000010
【図９】
0005363760.tif 000011
【図１０】
0005363760.tif 000012